(57)【要約】【課題】  手摺の軸方向に対して９０度の方向に変位させて外すことができるなど、着脱について大きな自由度がある手摺間接続部材、あるいは手摺端部接続部材を提供する。また、部品の数を少なくして、製作に係るコストを削減するとともに、これらの接続部材に対する手摺の取り付けを精度の良いものにする。【解決手段】  手摺１ａに固定される略円盤状の固定片１１と、この固定片１１の突出部１１ａの手摺受け部５と反対側の面を係止する係止部１２ａと、手摺受け部５の雄ねじ部５ａに螺合する雌ねじ部１２ｂとを有して、手摺１ａに回転可能に嵌合した環状操作部材１２とを備え、環状操作部材１２を手摺受け部５の雄ねじ部５ａに螺合させて締結することにより、固定片１１と手摺１ａとを手摺受け部５に対して回転自在に接続する。【選択図】      図１
0003106364.tif 000002
【実用新案登録請求の範囲】
【請求項１】
棒状の手摺の端部を手摺受け部の雄ねじ部に対して接続する手摺端部接続部材であって、
周縁に手摺の外径よりも大きい突出部を有し、この突出部を手摺の側面から突出させた状態で手摺に固定される略円盤状の固定片と、
この固定片の突出部の手摺受け部と反対側の面を係止する係止部と、係止部の手摺受け部側に設けられ手摺受け部の雄ねじ部に螺合する雌ねじ部とを有して、上記手摺に回転可能に嵌合した環状操作部材とを備え、
上記環状操作部材を手摺受け部の雄ねじ部に螺合させて締結することにより、固定片と手摺とを手摺受け部に対して回転自在に接続するものであることを特徴とする手摺端部接続部材。
【請求項２】
２つの棒状の手摺を相互に接続する手摺間接続部材であって、
一方の手摺に固定される第１接続部材と、
他方の手摺に固定される第２接続部材と
第１接続部材と第２接続部材とを角度自在に連結する連結手段とを備え、
第１接続部材と第２接続部材との少なくとも一方が、手摺受け部に設けられた雄ねじ部と、この手摺受け部に棒状の手摺を接続する請求項１に記載の手摺端部接続部材とを有していることを特徴とする手摺間接続部材。
【請求項３】
上記連結手段は、
第２接続部材３に設けられた略半球状の凸面部と、
第１接続部材に設けられ、第２接続部材の凸面部に嵌め合う凹面部と、
上記凸面部の中央から周縁にかけて設けられたスリットと、
上記凹面部の中央に設けられたボルト挿通孔と、
上記スリットとボルト挿通孔とを貫通するボルト部材と、
このボルト部材と協働して第１接続部材の凸面部と第２接続部材の凹面部とを摺動自在に固定するナット部材とを備えていることを特徴とする請求項２に記載の手摺間接続部材。
【考案の詳細な説明】
【技術分野】
【０００１】
本考案は、手摺の端部を手摺受け部に対して接続する手摺端部接続部材と、２つの手摺を相互に接続する手摺間接続部材とに関するものである。
【背景技術】
【０００２】
一般に、２つの手摺を相互に接続する手摺間接続部材は、それぞれの手摺の端部と手摺間接続部材との間に一対の手摺端部接続部材を有している。
【０００３】
例えば、特許文献１には、接続すべき２本の手摺のそれぞれに固定される第１接続部材と第２接続部材とからなる手摺間接続部材の技術が開示されている。この特許文献１に開示された手摺間接続部材は、第１接続部材が、一方の手摺に接続される円盤状固定片と、環状操作部材と、環状操作部材を円盤状固定片に対して相対摺動可能に挟持し押さえつける押さえ円盤との３つの部品から構成されている。また第２接続部材が、他方の手摺に接続される円盤状基部と、円盤状基部に設けられた螺合凸部とから構成されており、これら第１接続部材の環状操作部材と第２接続部材の螺合凸部とを螺合させて、２本の手摺が回転可能な状態で接続される。
【特許文献１】特開平７−２９２９１７号公報
【考案の開示】
【考案が解決しようとする課題】
【０００４】
しかしながら、上述の特許文献１に記載された手摺間接続部材の従来技術では、手摺間接続部材を手摺に対して着脱させる際、環状操作部材を手摺側に後退させることができないという不具合があった。このため、特許文献１に記載された手摺間接続部材では、手摺間接続部材を手摺の軸方向に変位させて着脱させることは可能であるが、手摺間接続部材を手摺の軸方向に対して９０度の方向に変位させて外すことはできないなど、手摺の着脱について大きな制約があった。また、第１接続部材の部品の一つとして、環状操作部材を円盤状固定片に対して相対摺動可能に挟持し押さえつける押さえ円盤が必要になるために、部品の数が多くなり、製作に係るコストが増大するというという問題があった。また、部品の数が多くなるために、手摺に対する第１接続部材の取り付けを精度の良いものにすることができないという問題があった。
【０００５】
本考案は上記不具合に鑑みてなされたものであり、手摺の軸方向に変位させて着脱させるだけでなく、手摺の軸方向に対して９０度の方向に変位させて外すことができるなど、手摺に対する着脱について大きな自由度がある手摺間接続部材、あるいは手摺端部接続部材を提供することを課題としている。また、これら２つの手摺を相互に回転自在に接続する手摺間接続部材、あるいは手摺の端部を手摺受け部に対して回転自在に接続する手摺端部接続部材において、部品の数を少なくして製作に係るコストを削減するとともに、接続部材に対する手摺の取り付けを精度の良いものにすることを課題としている。
【課題を解決するための手段】
【０００６】
上記課題を解決するための本考案に係る手摺端部接続部材は、棒状の手摺の端部を手摺受け部の雄ねじ部に対して接続する手摺端部接続部材であって、周縁に手摺の外径よりも大きい突出部を有し、この突出部を手摺の側面から突出させた状態で手摺に固定される略円盤状の固定片と、この固定片の突出部の手摺受け部と反対側の面を係止する係止部と、係止部の手摺受け部側に設けられ手摺受け部の雄ねじ部に螺合する雌ねじ部とを有して、上記手摺に回転可能に嵌合した環状操作部材とを備え、上記環状操作部材を手摺受け部の雄ねじ部に螺合させて締結することにより、固定片と手摺とを手摺受け部に対して回転自在に接続するものであることを特徴とする手摺端部接続部材である。
【０００７】
本考案に係る手摺端部接続部材によれば、手摺端部接続部材を手摺に対して着脱させる際、環状操作部材を手摺側に後退させることができるので、手摺の軸方向に変位させて着脱させるだけでなく、手摺の軸方向に対して９０度の方向に変位させて外すことができるなど、手摺に対する着脱について大きな自由度を確保することができる。
【０００８】
また、手摺に固定される略円盤状の固定片と、固定片を手摺受け部に対して回転自在に接続する環状操作部材との２つの部品により、手摺を手摺受け部に対して回転自在に接続することができるので、上述の従来技術に開示されているような環状操作部材を固定片に押さえつける押さえ円盤のような部材が不要になる。その結果、手摺を手摺受け部に対して回転自在に接続するための部品の数が少なくなり、製作に係るコストを削減することができる。また、部品の数が少なくなるので、手摺受け部に対する手摺端部接続部材の取り付けを精度の良いものにすることができるようになる。
【０００９】
また、本考案に係る手摺間接続部材は、２つの棒状の手摺を相互に接続する手摺間接続部材であって、一方の手摺に固定される第１接続部材と、他方の手摺に固定される第２接続部材と、第１接続部材と第２接続部材とを角度自在に連結する連結手段とを備え、第１接続部材と第２接続部材との少なくとも一方が、手摺受け部に設けられた雄ねじ部と、この手摺受け部に棒状の手摺を接続する請求項１に記載の手摺端部接続部材とを有していることを特徴とする手摺間接続部材である。
【００１０】
本考案に係る手摺間接続部材によれば、連結手段が、一方の手摺に固定される第１接続部材と他方の手摺に固定される第２接続部材とを角度自在に連結するので、２つの棒状の手摺を角度自在に相互に接続することができる。
【００１１】
また、第１接続部材と第２接続部材との少なくとも一方が、手摺受け部に設けられた雄ねじ部と、この手摺受け部に棒状の手摺を接続する請求項１に記載の手摺端部接続部材とを有しているので、環状操作部材を手摺側に後退させることができる結果、手摺の軸方向に変位させて着脱させるだけでなく、手摺の軸方向に対して９０度の方向に変位させて外すことができるなど、手摺に対する着脱について大きな自由度を確保することができる。
【００１２】
また、手摺を手摺間接続部材に対して回転自在に接続するための部品の数が少なくなり、手摺間接続部材の製作に係るコストを削減することができる。また、部品の数が少なくなるので、手摺間接続部材に対する２つの手摺の取り付けを精度の良いものにすることができる。
【００１３】
ここで、上記連結手段は、第２接続部材３に設けられた略半球状の凸面部と、第１接続部材に設けられ、第２接続部材の凸面部に嵌め合う凹面部と、上記凸面部の中央から周縁にかけて設けられたスリットと、上記凹面部の中央に設けられたボルト挿通孔と、上記スリットとボルト挿通孔とを貫通するボルト部材と、このボルト部材と協働して第１接続部材の凸面部と第２接続部材の凹面部とを摺動自在に固定するナット部材とを備えていることが好ましい。
【００１４】
このようにすれば、スリットとボルト挿通孔とを貫通するボルト部材と、ナット部材とが、協働して第１接続部材の凸面部と第２接続部材の凹面部とを摺動自在に固定するので、一方の手摺と他方の手摺とを角度自在に精度良く、かつ堅固に連結することができるようになる。
【考案の効果】
【００１５】
以上説明したように、本考案によれば、手摺の軸方向に変位させて着脱させるだけでなく、手摺の軸方向に対して９０度の方向に変位させて外すことができるなど、手摺に対する着脱について大きな自由度がある手摺間接続部材あるいは手摺端部接続部材を実現することができるという顕著な効果を奏する。また、これら２つの棒状の手摺を相互に回転自在に接続する手摺間接続部材において、あるいは棒状の手摺の端部を手摺受け部に対して回転自在に接続する手摺端部接続部材において、接続部材にかかる部品の数を少なくして、製作に係るコストを削減するとともに、接続部材に対する手摺の取り付けを精度の良いものにすることができるという顕著な効果を奏する。
【考案を実施するための最良の形態】
【００１６】
以下、添付図面を参照しながら本考案の好ましい実施の一形態について詳述する。図１は、本考案の実施の形態に係る手摺間接続部材２０の構成を示す分解斜視図である。図２は、手摺間接続部材２０の構成を示す断面図であり、図３は、第１接続部材２の構成を示す分解断面図である。
【００１７】
図１〜図３に示すように、本考案の実施の形態に係る手摺間接続部材２０は、２つの棒状の手摺１ａ、１ｂを相互に接続する接続部材であって、一方の手摺１ａに固定される第１接続部材２と、他方の手摺１ｂに固定される第２接続部材３と、第１接続部材２と第２接続部材３とを角度自在に連結する連結手段４（図２）とを備えている。
【００１８】
上記手摺１ａ、１ｂは、廊下、階段等の側方に歩行者の補助のために用いられるものであり、本実施形態においては、断面円形の木製の棒状部材が採用されている。
【００１９】
上記第１接続部材２は、硬質プラスチックの成形品であり、手摺受け部５の雄ねじ部５ａと、本考案に係る手摺端部接続部材１０を有している。
【００２０】
ここで、本考案の実施の形態に係る手摺端部接続部材１０は、棒状の手摺１ａの端部を手摺受け部５に対して接続するものであって、手摺１ａに固定される固定片１１と、手摺１ａの周囲に回転可能に嵌合した環状操作部材１２とを備え、この環状操作部材１２を手摺受け部５に締結することにより、固定片１１と手摺１ａとを手摺受け部５に対して回転自在に接続するように構成されている。
【００２１】
この固定片１１は、略円盤状に形成された部材であり、周縁に手摺１ａの外径よりも大きい突出部１１ａを有している。
【００２２】
この固定片１１は、また、ねじ孔１１ｂを有しており、このねじ孔１１ｂを挿通する図略のねじが、固定片１１を手摺１ａの端部に固定することにより、突出部１１ａを手摺１ａの側面から突出させた状態で、固定片１１と手摺１ａの端部とを連結する。
【００２３】
また、環状操作部材１２は、図３に示すように、固定片１１の突出部１１ａの手摺受け部５と反対側の面を係止する係止部１２ａと、係止部１２ａの手摺受け部５側に設けられ手摺受け部５の雄ねじ部５ａに螺合する雌ねじ部１２ｂとを有している。
【００２４】
上記第２接続部材３は、第１接続部材２と同様に、硬質プラスチックの成形品から構成され、ねじ穴７ａが設けられた筒状の手摺挿入部７を有している。第２接続部材３は、この手摺挿入部７に棒状の手摺１ｂが挿入されるとともに、ねじ穴７ａに図略のねじが締め込まれることにより、手摺１ｂと接続され固定される。
【００２５】
図２に示すように、上記連結手段４は、本実施形態では、第２接続部材３に設けられた略半球状の凸面部３ａと、第１接続部材２に設けられ、第２接続部材３の凸面部３ａに嵌め合う凹面部２ａと、上記凸面部３ａの中央から周縁にかけて設けられたスリット３ｂと、上記凹面部２ａの中央に設けられたボルト挿通孔２ｂと、上記スリット３ｂとボルト挿通孔２ｂとを貫通するボルト部材８と、ナット部材９とを備えている。そして、第２接続部材３の凸面部３ａと第１接続部材２の凹面部２ａとが接した状態で、ボルト部材８とナット部材９とが両者を締結し、凸面部３ａと凹面部２ａとを摺動自在に固定する。この時、ナット部材９は、ブッシュナット９ａによりボルト部材８に固定され、第２接続部材３の凸面部３ａと第１接続部材２の凹面部２ａとは、摺動可能な適当な締結力で締結される。
【００２６】
次に図１〜図３と図４とを参照して、本考案の実施の形態に係る手摺端部接続部材１０と手摺間接続部材２０との組み立て方法と作用とについて説明する。図４は、手摺間接続部材２０の作用を示す断面図である。
【００２７】
まず、本考案の実施の形態に係る手摺間接続部材２０の連結手段４の組み立て手順は以下の通りである。すなわち、図２に示すように、第２接続部材３の凸面部３ａと第１接続部材２の凹面部２ａとを接した状態にするとともに、ボルト部材８とナット部材９とにより両者を締結し、凸面部３ａと凹面部２ａとを摺動自在に固定する。この時、ブッシュナット９ａによりナット部材９を、ボルト部材８に固定することにより、第２接続部材３の凸面部３ａと第１接続部材２の凹面部２ａとが、摺動可能な適当な締結力で締結されるようにする。
【００２８】
次に、手摺端部接続部材１０の組み立て手順と、一方の手摺１ａの第１接続部材２に対する接続手順は、以下の通りである。すなわち、図３に示すように、環状操作部材１２を手摺１ａに回転可能に嵌合する。
【００２９】
この状態で、固定片１１のねじ孔１１ｂを通して図略のねじを手摺１ａに締め込むことにより、固定片１１が手摺１ａに固定される。
【００３０】
そして、環状操作部材１２の係止部１２ａにより、固定片１１の突出部１１ａの手摺受け部５と反対側の面を係止した状態で、環状操作部材１２を手摺受け部５の雄ねじ部５ａに螺合させて締結する。このことにより、固定片１１と手摺１ａとが手摺受け部５に対して接続され、第１接続部材２が、手摺１ａに固定される。
【００３１】
また、他方の手摺１ｂの第２接続部材３に対する接続手順は以下の通りである。すなわち、手摺１ｂが、第２接続部材３の手摺挿入部７に挿入されるとともに、ねじ穴７ａを通して図略のねじが手摺１ｂに締め込まれ、手摺１ｂが第２接続部材３に固定される。
【００３２】
このように、手摺間接続部材２０においては、連結手段４の組み立てと、手摺端部接続部材１０の組み立てと、一方の手摺１ａの第１接続部材２に対する接続と、他方の手摺１ｂの第２接続部材３に対する接続とにより、２つの棒状の手摺１ａ、１ｂが相互に接続される。
【００３３】
次に本考案の実施の形態に係る手摺端部接続部材１０および手摺間接続部材２０の作用は以下の通りである。
【００３４】
すなわち、本考案の実施の形態に係る手摺端部接続部材１０および手摺間接続部材２０においては、環状操作部材１２の雄ねじ部５ａに対する締結を緩めることにより、手摺１ａの手摺受け部５に対する回転角度を自在に変更することができる。
【００３５】
また、手摺間接続部材２０においては、図４に示すように、連結手段４において、第２接続部材３の凸面部３ａと第１接続部材２の凹面部２ａとを摺動させることにより、第１接続部材２と第２接続部材３との角度を自在に変更することができる。
【００３６】
以上説明したように、本考案に係る手摺端部接続部材１０によれば、手摺端部接続部材１０を手摺に対して着脱させる際、環状操作部材１２を手摺１ａ側に後退させることができるので、手摺１ａの軸方向に変位させて着脱させるだけでなく、手摺１ａの軸方向に対して９０度の方向に変位させて外すことができるなど、手摺１ａに対する着脱について大きな自由度を確保することができる。
【００３７】
また、手摺１ａに固定される略円盤状の固定片１１と、固定片１１を手摺受け部５に対して回転自在に接続する環状操作部材１２との２つの部品により、手摺１ａを手摺受け部５に対して回転自在に接続することができるので、上述の従来技術に開示されている環状操作部材１２を固定片１１に押さえつける押さえ円盤のような部材が不要になる。その結果、手摺１ａを手摺受け部５に対して回転自在に接続するための部品の数が少なくなり、製作に係るコストを削減することができる。また、部品の数が少なくなるので、手摺受け部５に対する手摺端部接続部材１０の取り付けを精度の良いものにすることができるようになる。
【００３８】
また、本考案に係る手摺間接続部材２０によれば、連結手段４が、一方の手摺１ａに固定される第１接続部材２と他方の手摺１ｂに固定される第２接続部材３とを角度自在に連結するので、２つの棒状の手摺１ａ、１ｂを角度自在に相互に接続することができる。
【００３９】
また、第１接続部材２と第２接続部材３との少なくとも一方が、手摺受け部５の雄ねじ部５ａと、この手摺受け部５に棒状の手摺１ａを接続する本考案に係る手摺端部接続部材１０とを有しているので、環状操作部材１２を手摺１ａ側に後退させることができる結果、手摺１ａの軸方向に変位させて着脱させるだけでなく、手摺１ａの軸方向に対して９０度の方向に変位させて外すことができるなど、手摺に対する着脱について大きな自由度を確保することができる。
【００４０】
また、手摺１ａ、１ｂを手摺間接続部材２０に対して回転自在に接続するための部品の数が少なくなり、手摺間接続部材２０の製作に係るコストを削減することができる。また、部品の数が少なくなるので、手摺間接続部材２０に対する２つの手摺１ａ、１ｂの取り付けを精度の良いものにすることができる。
【００４１】
また、スリット３ｂとボルト挿通孔２ｂとを貫通するボルト部材８と、ナット部材９とが、協働して第２接続部材３の凸面部３ａと第１接続部材２の凹面部２ａとを摺動自在に固定するので、一方の手摺１ａと他方の手摺１ｂとを角度自在に精度良く、かつ堅固に連結することができるようになる。
【００４２】
上述した実施の形態は、本考案の好ましい具体例を例示したものに過ぎず、本考案は上述した実施の形態に限定されない。
【００４３】
例えば、手摺１ａ、１ｂは、必ずしも廊下，階段等の側方に歩行者の補助のために用いられるものに限定されず、また、形状、材質も図示のような断面円形の木製の棒状部材に限定されない。端部処理された金属パイプで構成されたものなど、どのような手摺でも採用可能である。
【００４４】
第１接続部材２と第２接続部材３とは、必ずしも硬質プラスチックの成形品である必要はなく、アルミダイカストなどの鋳物成形品あるいは硬質プラスチックと金属補強板との合成材などが採用可能であるなど、種々の設計変更が可能である。
【００４５】
連結手段４も、手摺１ａ、１ｂを角度自在に締結することができるものであれば、必ずしも図示のような凸面部３ａと凹面部２ａとを摺動させるものに限定されない。第１接続部材２と第２接続部材３とが、共通の回動軸の周りに回動可能に構成されるような連結手段であっても、採用可能であるなど、種々の設計変更が可能である。
【００４６】
その他、本考案の実用新案登録請求の範囲内で種々の設計変更が可能であることはいうまでもない。
【図面の簡単な説明】
【００４７】
【図１】本考案の実施の形態に係る手摺間接続部材の構成を示す分解斜視図である。
【図２】手摺間接続部材の構成を示す断面図である。
【図３】第１接続部材の構成を示す分解断面図である。
【図４】手摺間接続部材の作用を示す断面図である。
【符号の説明】
【００４８】
１ａ    一方の手摺
１ｂ    他方の手摺
２      第１接続部材
２ａ    凹面部
２ｂ    ボルト挿通孔
３      第２接続部材
３ａ    凸面部
３ｂ    スリット
４      連結手段
５      手摺受け部
５ａ    雄ねじ部
８      ボルト部材
９      ナット部材
１０    手摺端部接続部材
１１    固定片
１１ａ  突出部
１２    環状操作部材
１２ａ  係止部
１２ｂ  雌ねじ部
２０    手摺間接続部材
【図１】
0003106364.tif 000003
【図２】
0003106364.tif 000004
【図３】
0003106364.tif 000005
【図４】
0003106364.tif 000006